(57)【要約】【課題】構造が簡単で、かつ、安価である上、製作費、組立費、検査費等を低減でき、更に、グローブを安全に、かつ、速やかに交換できるグローブボックス用パネル。【解決手段】透明な合成樹脂製のパネル３と、該パネル３に装着されている複数のグローブポート本体５とからなるグローブボックス用パネルである。前記パネル３とグローブポート本体５とを気密状に接合させて一体物とする。前記グローブポート本体５内にインナーリング１５を着脱自在に装着させ、該インナーリング１５又はグローブポート本体５にグローブ１１の端を装着させる。【選択図】　　　　図１
2004025366.tif 000002
【特許請求の範囲】
【請求項１】
透明な合成樹脂製のパネルと、該パネルに装着されている複数のグローブポート本体とからなるグローブボックス用パネルにおいて、前記パネルとグローブポート本体とを気密状に接合させて一体物とする一方、前記グローブポート本体内にインナーリングを着脱自在に装着させ、該インナーリング又はグローブポート本体にグローブの端を装着させたことを特徴とするグローブボックス用パネル。
【請求項２】
パネルとグローブポート本体とを接合剤によって気密状に接合させてなる請求項１記載のグローブボックス用パネル。
【請求項３】
インナーリングを、固定環によってグローブポート本体に固着させてなる請求項１記載のグローブボックス用パネル。
【請求項４】
固定環は、断面Ｕ字形に形成され、その開口端には、内側に向かって突出するリング状の爪を備え、一方の爪は、インナーリングの内周面に設けた溝と係合し、他方の爪は、グローブポート本体に外周面に設けた溝と係合してなる請求項３記載のグローブボックス用パネル。
【請求項５】
グローブの端を、インナーリングの内端部の外側に装着させてなる請求項１記載のグローブボックス用パネル。
【請求項６】
グローブの端を、グローブポート本体の外端部の外側に装着させてなる請求項１記載のグローブボックス用パネル。
【発明の詳細な説明】
【０００１】
【発明の属する技術分野】
本発明は、透明な合成樹脂製のパネルと、該パネルに装着されている複数のグローブポート本体とからなるグローブボックス用パネルに関する。
【０００２】
【従来の技術】
図４に示すように、グローブボックス１は、枠体（以下、缶体という）２の内部Ｃを透視するために、缶体２の前後両面を、例えば、アクリル板などの透明な合成樹脂板（以下、パネルという）３で囲っている。このパネル３は、夫々、複数（図の場合は、４個）のグローブポート４を有するとともに、各グローブポート４には、缶体２の内部に設置されている内装機械（図示せず）を操作するため、可撓性のグローブ（図示せず）が取り付けられている。
【０００３】
ところで、従来のグローブボックス１は、パネル３とグローブポート本体（ＰＮＣ２型）５とを別々に製作した後、図５に示すように、グローブポート本体５をパネル３の穴６に装着させているが、その際、グローブポート本体５に嵌合させた環状の押え板７を多数の止めネジ８を用いてグローブポート本体５に固着し、グローブポート本体５のフランジ９と押え板７とによってパネル３を狭持しているので、製作費や組立費が嵩むという問題がある。従って、従来のグローブポート４は、非常に高額なものになっている。
【０００４】
また、従来は、パネル３とグローブポート本体５との嵌合部にパッキン１０を配して気密性を保持しているが、パッキンを使用している関係上、気密性の検査が必要となり、別途、検査費が必要となる。
【０００５】
また、このグローブポート本体５は、グローブ１１の端がグローブポート本体５の外端部５０の外側に折り返され、複数本のＯリング１２によってグローブポート本体５の外周面に固定されている。
【０００６】
従って、グローブ１１とグローブポート本体５の間の隙間ａを通ってグローブポート本体５の外端部５０の近傍まで放射能に汚染されている恐れがあるので、グローブ１１を交換する場合には、慎重に行う必要がある。このため、このグローブポート本体５の場合は、グローブ１１を交換する場合に、多くの時間がかかるという問題がある。
【０００７】
なお、図中、１３は、グローブポート本体５の開口端を塞ぐための蓋であり、例えば、グローブポートの未使用時に使用される。この蓋１３は、複数本のノブボルト１４を用いて環状の押え板７に取り付けられる。Ｃはグローブボックスの内部を示し、Ｅは作業室内を示している。
【０００８】
図６は、前者とは異なるタイプのグローブポートの一部断面を含む側面図であるが、このグローブポート４ａも前者と同様に、パネル３とグローブポート本体（ＰＮＣ３型）５ａとを別々に製作した後、グローブポート本体５ａをパネル３の穴６に装着させているので、前者と同様の欠点がある。
【０００９】
但し、このグローブポート本体５ａは、グローブ１１の端がグローブポート本体５ａ内に設けたインナーリング１５の外側にＯリング１６によって取り付けている。２２は、インナーリング１５をグローブポート本体５ａに固着するための固定環を示している。その他の部品については、前者と同じ部品には同じ符号を付けて詳しい説明を省略する。
【００１０】
【発明が解決しようとする課題】
本発明は、このような従来の問題を解決するためになされたものであり、構造が簡単で、安価である上、製作費、組立費、検査費等を低減でき、更に、グローブを安全に、かつ、速やかに交換できるグローブボックス用パネルを提供することを目的とするものである。
【００１１】
【課題を解決するための手段】
上記目的を達成するため、本発明のグローブボックス用パネルは、透明な合成樹脂製のパネルと、該パネルに装着されている複数のグローブポート本体とからなるグローブボックス用パネルにおいて、前記パネルとグローブポート本体とを気密状に接合させて一体物とする一方、前記グローブポート本体内にインナーリングを着脱自在に装着させ、該インナーリング又はグローブポート本体にグローブの端を装着させたことを特徴とする。
【００１２】
ここで、パネルとグローブポート本体とは、接合剤によって気密状に接合されている。
【００１３】
インナーリングを、固定環によってグローブポート本体に固着されている。
【００１４】
固定環は、断面Ｕ字形に形成され、その開口端には、内側に向かって突出するリング状の爪を備え、一方の爪は、インナーリングの内周面に設けた溝と係合し、他方の爪は、グローブポート本体に外周面に設けた溝と係合している。
【００１５】
グローブの端は、インナーリングの内端部の外側に装着されているが、所望により、グローブポート本体の外端部の外側に装着させることも可能である。
【００１６】
【発明の実施の形態】
以下、本発明の実施の形態を図面を用いて説明する。図１は本発明に係るグローブボックス用パネルの第１の実施形態を示す要部断面図、図２は、図１のＸ部拡大図である。
【００１７】
図１及び図２において、Ａは、グローブボックス用パネルであり、透明な合成樹脂製のパネル３と、このパネル３に装着されている円筒形のグローブポート本体（ＰＮＣ３型）５ｂから構成されている。
【００１８】
具体的に説明すると、パネル３と、その穴６に挿入された円筒形のグローブポート本体５ｂの内端部との接合面３０は、図示しない接合剤によって気密状に接合され、両者は、一体物となっている。
【００１９】
一方、グローブポート本体５ｂ内には、円筒状のインナーリング１５ｂが着脱自在に装着されている。このインナーリング１５ｂは、その内端部１５０の外周面にグローブ１１の端を被せた上、グローブ１１の端を２本のＯリング１７によって気密状に固着させている。
【００２０】
インナーリング１５ｂは、その外周面に可撓性を有する複数本のリング１８及び１９を有し、インナーリング１５ｂとグローブポート本体５ｂとの間の気密を保持するようになっている。これらのリング１８及び１９は、インナーリング１５ｂの外周面に設けた溝２１内に装着されている。
【００２１】
インナーリング１５ｂは、固定環２２によってグローブポート本体５ｂに取り付けられている。固定環２２は、断面Ｕ字形に形成され、その開口端には、内側に向かって突出するリング状の爪２３，２４を備えている。一方の爪２３は、インナーリング１５ｂの内周面に設けた溝２５と係合し、他方の爪２４は、グローブポート本体５ｂに外周面に設けた溝２６と係合している。
【００２２】
しかして、グローブ１１を交換する場合には、上記固定環２２を取り外してインナーリング１５ｂを自由にした後、インナーリング１５ｂをグローブボックス１内に押し込んで、インナーリング１５ｂと一緒にグローブ１１をグローブボックス１内に廃棄する。
【００２３】
しかる後に、グローブ付きの新しいインナーリング（図示せず）をグローブポート本体５ｂに挿入するとともに、上記固定環２２を用いてグローブ付きインナーリングをグローブポート本体５ｂに固着する。
【００２４】
図３は、ＰＮＣ２型のグローブポート本体５を改良したものであるが、改良箇所は、既に説明した第１の実施形態（図１及び図２参照）のものと変わりがないので、同じ部品に同じ符号を付け、詳しい説明については省略する。
【００２５】
これらの実施形態のものは、グローブ１１の端が、いずれも、インナーリング１５ｂの内端部１５０の外周面に嵌着されているが、グローブ１１の端は、グローブポート本体５ｂの外端部５０ｂの外周面にＯリング（図示せず）を用いて装着させることも可能である。
【００２６】
【発明の効果】
上記のように、本発明は、透明な合成樹脂製のパネルと、該パネルに装着されている複数のグローブポート本体とからなるグローブボックス用パネルにおいて、前記パネルとグローブポート本体とを気密状に接合させて一体物とする一方、前記グローブポート本体内にインナーリングを着脱自在に装着させ、該インナーリング又はグローブポート本体にグローブの端を装着させたので、下記のような優れた作用効果を奏する。
【００２７】
すなわち、
（１）　パネルとグローブポート本体とを接合させて一体物とするため、部品点数が減り、製作費及び組立費のコストダウンが計れると共に、パネルの強度が増す。
（２）　パネルとグローブポート本体とが気密状に接合させているため、検査が容易となり、検査費のコストダウンが計れる。
（３）　グローブの交換が容易となり、被爆の危険性が減少する。
【図面の簡単な説明】
【図１】本発明に係るグローブボックス用パネルの第１の実施形態を示す要部断面図である。
【図２】図１のＸ部拡大図である。
【図３】本発明に係るグローブボックス用パネルの第２の実施形態を示す一部側面を含む断面図である。
【図４】グローブボックスの正面図である。
【図５】従来のグローブボックス用パネルの一部側面を含む断面図である。
【図６】従来のグローブボックス用パネルの一部側面を含む断面図である。
【符号の説明】
３　パネル
５　グローブポート本体
１１　グローブ
１５　インナーリング
【図１】
2004025366.tif 000003
【図２】
2004025366.tif 000004
【図３】
2004025366.tif 000005
【図４】
2004025366.tif 000006
【図５】
2004025366.tif 000007
【図６】
2004025366.tif 000008